(57)【要約】【課題】  本発明は、荷物への取り付けおよび取り外しを簡単かつ確実に行うこができ、しかも使用状態においてベルトが弛むことを防止することが可能な荷物用締付ベルトの提供を課題とする。【解決手段】  スーツケースやカバンなどの各種荷物Ｎに巻いて締め付ける荷物用締付ベルトであって、ベルト本体部１の他端部が長さ方向に伸縮可能な弾性部材４となされている。また、ベルト本体部１の一端部に設けられたリング部材２と、ベルト本体部１の他端部に設けられた第１係止部としてのフック部材５と、ベルト本体部１の他端部寄りの位置に設けられ、かつフック部材５に係合して止められる第２係止部としての環状部材６、６とを備える。これにより荷物Ｎへの取り付けおよび取り外しを簡単かつ確実に行うこができ、しかも使用状態においてベルトが弛むことを防止することが可能となる。【選択図】      図１
2007044066.tif 000002
【特許請求の範囲】
【請求項１】
スーツケースやカバンなどの各種荷物に巻いて締め付ける荷物用締付ベルトであって、
一部または全部が長さ方向に伸縮可能な弾性部材となされているベルト本体部と、
該ベルト本体部の一端部に設けられたリング部と、
前記ベルト本体部の他端部に設けられた第１係止部と、
前記ベルト本体部に設けられ、かつ前記第１係止部に係合して止められる第２係止部とを備えることを特徴とする荷物用締付ベルト。
【請求項２】
前記第１係止部はフック部材となされ、前記第２係止部材は該フック部材を引っ掛けるための環状部材または孔となされている請求項１に記載の荷物用締付ベルト。
【請求項３】
前記フック部材は、前記ベルト本体部の他端部が連結固定される環状部と、該環状部の左側部または右側部から上方に屈曲しながら該環状部に沿って延びる屈曲部とからなる請求項２に記載の荷物用締付ベルト。
【請求項４】
前記第２係止部は、前記ベルト本体部の長さ方向に沿って複数設けられている請求項１ないし請求項３のいずれかに記載の荷物用締付ベルト。
【請求項５】
前記第１係止部および第２係止部は面ファスナーにより互いに係合して止められるものである請求項１に記載の荷物用締付ベルト。
【請求項６】
前記リング部は、前記ベルト本体部の一端部に設けられる環状部と、該環状部の左側部または右側部から上方に屈曲しながら該環状部に沿って延びる屈曲部とからなる請求項１ないし請求項５のいずれかに記載の荷物用締付ベルト。
【請求項７】
前記リング部は方形環状に形成されており、該一対のリング部が前記ベルト本体部の一端部に設けられている請求項１ないし請求項５のいずれかに記載の荷物用締付ベルト。
【請求項８】
前記ベルト本体部の他端部寄りの位置において、ベルト本体部が折返しながら通されるための折返部材が設けられている請求項１ないし請求項７のいずれかに記載の荷物用締付ベルト。
【発明の詳細な説明】
【技術分野】
【０００１】
本発明は、スーツケースやカバンなどの各種荷物に巻いて締め付ける荷物用締付ベルトに関する。
【背景技術】
【０００２】
従来、スーツケースやカバンなどの各種荷物に巻いて締め付ける荷物用締付ベルトが知られている。この荷物用締付ベルトは、ベルト本体の一端部に一対の方形リングが設けられ、当該ベルトを各種荷物に巻き付けた上で、ベルト本体の他端部を両方形リングに通過させて折り返したあと、さらに一方の方形リングに再度通過させて締め付けるものが一般的である。
【０００３】
そして、荷物用締付ベルトの利便性を高めるために様々なものが提案されている。例えば、ベルトの一端部に一対の方形リングを取り付け、ベルトの他端部に該ベルトの長手方向と略直交する方向に一辺側より切溝状の欠部を設けてフック部を形成したものが知られている（特許文献１参照）。また、ベルト本体の外表面に長手方向所定範囲にわたって、模様の施されたシート状の織物によって形成される装飾材が固定され、前記装飾材によって使用時における外表面が装飾されたものが知られている（特許文献２参照）。さらに、長さを調節可能に構成したベルト本体の両端部に同両端を相互に連繋する連結装置を、またベルト本体の一端部に上記の連結装置を外側より押さえ隠す舌状片を、さらに舌状片の遊端とベルト本体の多端部に相互に係止する係止装置をそれぞれ設けてなるものが知られている（特許文献３参照）。
【特許文献１】登録実用新案第３０３８８８３号公報
【特許文献２】特開２００３−３２５２２３号公報
【特許文献３】昭５３−１６１１０４号公報
【発明の開示】
【発明が解決しようとする課題】
【０００４】
しかしながら、上記各荷物用締付ベルトを含めて従来の荷物用締付ベルトでは様々な問題があった。すなわち、荷物用締付ベルトを荷物に対して斜め方向に巻き付けた場合、当該荷物が動いたりあるいは他の荷物に接触するなどしてベルトが水平になると、ベルトと荷物の間に空間ができて荷物用締付ベルトが弛んでしまうという問題があった。また、上述のように荷物用締付ベルトを一対の方形リングにより締め付けているだけなので、方形リングが他の荷物などと接触すると両方形リングが開き、ベルトが緩んでしまうという問題もあった。さらに、荷物用締付ベルトが緩まないように方形リングできつく締め付けると、ベルトが方形リングの間に食い込み、ベルトを荷物から外すに際して弛めにくくなるという問題もあった。
【０００５】
本発明は、上記問題に鑑みてなされたものであって、荷物への取り付けおよび取り外しを簡単かつ確実に行うことができ、しかも使用状態においてベルトが弛むことを防止することが可能な荷物用締付ベルトの提供を課題とする。
【課題を解決するための手段】
【０００６】
本発明は、上記課題を解決するために、スーツケースやカバンなどの各種荷物に巻いて締め付ける荷物用締付ベルトであって、一部または全部が長さ方向に伸縮可能な弾性部材となされているベルト本体部と、該ベルト本体部の一端部に設けられたリング部と、前記ベルト本体部の他端部に設けられた第１係止部と、前記ベルト本体部に設けられ、かつ前記第１係止部に係合して止められる第２係止部とを備えることを特徴とする。
【０００７】
これによれば、荷物用締付ベルトを荷物に取り付けるに際しては、荷物に対して本ベルトを取り囲むように巻きつつ、ベルト本体部をリング部材に通して折り返したあと、第１係止部を弾性部材の張力に抗して伸ばしながら第２係止部に係止させれば、容易に荷物を締め付けることができる。また、荷物用締付ベルトの使用状態では、弾性部材の張力により荷物が確実に締め付けられているので、本ベルトが斜め方向から水平方向にずれたり、あるいは他の荷物がリング部材に接触しても、本ベルトが弛むことを防止することができる。さらに、荷物用締付ベルトを荷物から取り外すに際しては、第１係止部を弾性部材の張力に抗するようにして第２係止部との係止を解除すれば、容易に本ベルトを弛めることができる。
【０００８】
また、前記第１係止部はフック部材となされ、前記第２係止部材は該フック部材を引っ掛けるための環状部材または孔となされているが好ましい。これによれば、第１係止部と第２係止部の係止およびその解除が行い易くなる。
【０００９】
また、前記フック部材は、前記ベルト本体部の他端部が連結固定される環状部と、該環状部の左側部または右側部から上方に屈曲しながら該環状部に沿って延びる屈曲部とからなるが好ましい。これによれば、第１係止部をベルト本体部に連結固定し易くなるとともに、第２係止部材に係止し易くなる。
【００１０】
また、前記第２係止部は、前記ベルト本体部の長さ方向に沿って複数設けられているのが好ましい。これによれば、第１係止部と第２係止部の係止位置を変えられるため、様々な大きさの荷物に対応するとともに、本ベルトの締め付け力を簡単かつ確実に調整することができる。
【００１１】
また、前記第１係止部および第２係止部は面ファスナーにより互いに係合して止められるものであるのが好ましい。これによれば、第１係止部と第２係止部の係止およびその解除がより一層行い易くなる。
【００１２】
また、前記リング部は、前記ベルト本体部の一端部に設けられる環状部と、該環状部の左側部または右側部から上方に屈曲しながら該環状部に沿って延びる屈曲部とからなるのが好ましい。これによれば、環状部と屈曲部の左側または右側が開口されるので、その開口部からベルト本体部を入れ込むことにより、ベルト本体部をリング部材に通して折り返すことを簡単かつ確実に行うことができる。
【００１３】
また、前記リング部は方形環状に形成されており、該一対のリング部が前記ベルト本体部の一端部に設けられているものであってもよい。これによれば、弾性部材の張力による締め付けとともに、一対の方形リングによる締め付けを行うことができ、荷物をより一層確実に締め付けることができる。
【００１４】
また、前記ベルト本体部の他端部寄りの位置において、ベルト本体部が折返しながら通されるための折返部材が設けられているものであってもよい。これによれば前記リング部で折り返したベルト本体部を該折返部材で再び折り返して、第１係止部と第２係止部を係合して止め得るので、荷物をより一層確実に締め付けることができる。
【発明の効果】
【００１５】
本発明によれば、荷物用締付ベルトを荷物に取り付けるに際しては、荷物に対して本ベルトを取り囲むように巻きつつ、ベルト本体部をリング部材に通して折り返したあと、第１係止部を弾性部材の張力に抗して伸ばしながら第２係止部に係止させれば、容易に荷物を締め付けることができる。また、荷物用締付ベルトの使用状態では、弾性部材の張力により荷物が確実に締め付けられているので、本ベルトが斜め方向から水平方向にずれたり、あるいは他の荷物がリング部材に接触しても、本ベルトが弛むことを防止することができる。さらに、荷物用締付ベルトを荷物から取り外すに際しては、第１係止部を弾性部材の張力に抗するようにして第２係止部との係止を解除すれば、容易に本ベルトを弛めることができる。このためスーツケースやカバンなど各種荷物への取り付けおよび取り外しを簡単かつ確実に行うことができ、しかも使用状態においてベルトが弛むことを防止することが可能となる。
【発明を実施するための最良の形態】
【００１６】
次に本発明の一実施形態について図面を参照しつつ説明する。
【００１７】
図１は、本実施形態に係る荷物締付用ベルトの斜視図である。
【００１８】
図１において、（１）は本ベルトの大部分を占めるベルト本体部である。このベルト本体部（１）は、一般的には化学繊維で織った帯からなり、本実施形態では長さが約１２００〜２２００ｍｍまで調節可能であり、幅が約６０ｍｍに形成されている。なお、ベルト本体部（１）の材質、長さ、幅、抗菌性などは限定されるものではない。
【００１９】
前記ベルト本体部（１）は、その一端部が二つ折り状に折り曲げられ、その折り曲げ部において金属製のリング部材（２）が設けられている。このリング部材（２）は、図４（ａ）に示すように、全体が同幅のアルファベット数字の６の形状をしており、ベルト本体部（１）の一端部が通される環状部（２１）と、該環状部（２１）の左側部から上方に屈曲しながら該環状部（２１）に沿って延びる屈曲部（２２）とからなる。これにより前記リング部材（２）の環状部（２１）においてベルト本体部（１）の一端部が二つ折り状に折り曲げられながら通され、また屈曲部（２２）においてベルト本体部（１）の他端部が二つ折り状に折り曲げられながら通されることによって、荷物（Ｎ）（本実施形態ではスーツケース）を取り囲むループを形成するようになっている。
【００２０】
なお、前記リング部材（２）の環状部（２１）と屈曲部（２２）の間の右側は開口されており、その開口部（２４）からベルト本体部（１）を入れ込むことにより、ベルト本体部（１）をリング部材（２）に簡単に通すことができる。また、前記屈曲部（２２）の先端部には内側に折れ曲がった滑止部（２３）が形成されており、ベルト使用時においてベルト本体部（１）がリング部材（２）から滑り外れるのを防止するようになっている。
【００２１】
前記ベルト本体部（１）の中途位置には金属製の調節バックル（３）が設けられおり、ベルト本体部（１）が調節バックル（３）の中央横架部を跨ぐようにして通されるとともに、前記リング部材（２）において折り曲がったベルト本体部（１）の先端部が調節バックル（３）の中央横架部に裏側から連結固定されている。このため、ベルト本体部（１）をリング部材（２）方向に調節バックル（３）に順次通していくとベルトの長さを短くすることができ、またベルト本体部（１）をリング部材（２）と反対方向に調節バックル（３）に順次通していくとベルトの長さを長くすることができる。
【００２２】
前記ベルト本体部（１）の他端部は弾性部材（４）となされている。この弾性部材（４）は、長さ方向に伸縮可能なものであり、長さが約１００ｍｍ（不使用時）、幅が約５０ｍｍ程度に形成されている。本実施形態では、図２および図３に示すように、本ベルトの使用時において長さＬ（１００ｍｍ以上）に伸張し、不使用時においては元の長さまで可逆的に収縮することができる。この弾性部材（４）とベルト本体部（１）は縫着するのがよいが、使用時の張力に耐えるものであれば圧着などであってもよい。なお、弾性部材（４）は、一般的なゴム部材のほか、金属製のバネ部材、あるいは形状記憶の性質を有する部材など、長さ方向に可逆的に伸縮可能なものであれば材質、長さ、および幅などは限定されるものではない。
【００２３】
前記弾性部材（４）の端部（ベルト本体部（１）の他端部）には第１係止部としての金属製のフック部材（５）が設けられている。このフック部材（５）は、図４（ｂ）に示すように、前記リング部材（２）よりもやや幅広であって、全体がアルファベット数字の６の形状をしており、弾性部材（４）の他端部が連結固定される環状部（５１）と、該環状部（５１）の左側部から上方に屈曲しながら該環状部（５１）に沿って延びる屈曲部（５２）とからなる。これによりフック部材（５）の屈曲部（５２）を後述の環状部材（６）（６）（第２係止部）に容易に引っ掛けることができるようになる。なお、前記屈曲部（５２）の先端部には、内側に折り曲がる滑止部（５３）が形成されており、ベルト使用時において後述の環状部材（６）（第２係止部）からフック部材（５）が外れるのを防止するようになっている。
【００２４】
前記ベルト本体部（１）の他端部寄りの位置の上面には、第２係止部としての２個の環状部材（６）（６）がベルトの長さ方向に沿って設けられており、所望の環状部材（６）に前記フック部材（５）を引っ掛けることができるようになっている。このように環状部材（６）をベルトの長さ方向に沿って複数個設けることによって、フック部材（５）と環状部材（６）の係止位置を変えられるため、様々な大きさの荷物（Ｎ）に対応するとともに、本ベルトの締め付け力を簡単かつ確実に調整することができる。
【００２５】
而して、本ベルトを荷物（Ｎ）に取り付けるに際しては、まず調節バックル（３）により本ベルトの長さを荷物（Ｎ）の大きさに応じて適度に調節した上で、図５（ａ）に示すように、荷物（Ｎ）の裏側にベルト本体部（１）の中央部を当てつつ、本ベルトの両端部（リング部材（２）とフック部材（５））を荷物（Ｎ）の手前の位置に持ってくる。
【００２６】
そして、図５（ｂ）に示すように、リング部材（２）の屈曲部（２２）においてベルト本体部（１）の他端部を二つ折り状に折り返しながら通すことによって荷物（Ｎ）を取り囲むループを形成する。このとき、リング部材（２）における環状部（２１）と屈曲部（２２）の間の右側が開口されているので、その開口部（２４）からベルト本体部（１）を入れ込むことによりベルト本体部（１）をリング部材（２）に簡単に通すことができる。
【００２７】
そして、図４（ｃ）に示すように、フック部材（５）を弾性部材（４）の張力に抗して伸ばしながら所望の環状部材（６）に引っ掛けることにより係止させ、弾性部材（４）の張力により荷物（Ｎ）を締め付ける。
【００２８】
このように、本ベルトを取り囲むように巻きつつ、ベルト本体部（１）をリング部材（２）に通して折り返したあと、フック部材（５）を弾性部材（４）の張力に抗して伸ばしながら所望の環状部材（６）に係止させれば、容易に荷物（Ｎ）を締め付けることができる。
【００２９】
また、本ベルトの使用状態では、弾性部材（４）の張力により荷物（Ｎ）が確実に締め付けられているので、本ベルトが斜め方向から水平方向にずれたり、あるいは他の荷物（Ｎ）がリング部材（２）に接触しても、本ベルトが弛むことを防止することができる。
【００３０】
さらに、荷物用締付ベルトを荷物（Ｎ）から取り外すに際しては、フック部材（５）を弾性部材（４）の張力に抗するようにして環状部材（６）との係止を解除すれば、容易に本ベルトを弛めることができる。
【００３１】
なお、第２係止部としての環状部材（６）を２個設けるものとしたが、１個のみ設けるものとしてもよいし、あるいは３個以上設けるものとしてもよい。例えば、図６に示すように、一枚の矩形状の第２係止部を用意し、それをベルト本体部（１）の所定位置に合わせつつ両端部を幅方向に縫着し、さらに両端部間における一定間隔の３カ所を幅方向に縫着すれば、４個の環状部材（６）…（６）を簡単に設けることができる。
【００３２】
また、第２係止部を環状部材（６）としたがが、フック部材（５）を引っ掛けることができる孔であってもよい。
【００３３】
また、第１係止部と第２係止部を係合して止めるのにフック部材（５）と環状部材（６）の引掛けによる係止構造を採用したが、ズボンに用いられるベルトの係止構造であってもよいし、第１係止部としての紐を第２係止部としてのリング部材に結びつけるものとした係止構造であってもよい。
【００３４】
また、図７に示すように、第１係止部（７）と第２係止部（８）を面ファスナー（通称マジックテープ［商標登録］）により係合して止めるものとしてもよい。これによれば、第１係止部（７）と第２係止部（８）の係止およびその解除がより一層行い易くなる。
【００３５】
また、図８に示すように、第２係止部（本実施形態では面ファスナー（８））がベルト本体部（１）の一端部寄りの位置に設けられるとともに、前記ベルト本体部（１）の他端部寄りの位置においてベルト本体部が折返しながら通されるための折返部材（９）が設けられるものとしてもよい。これによれば前記リング部材（２）で折り返したベルト本体部（１）を該折返部材（９）で再び折り返したあと、第１係止部（７）と第２係止部（８）を係合して止め得るので、荷物をより一層確実に締め付けることができる。なお、ベルト本体部（１）における折返部材（９）の折返し手前位置（図８におけるリング部材（２）と折返部材（９）の間の位置）に第２係止部（８）を設けるものとし、ベルト本体部（１）を折返部材（９）で折り返してすぐに第１係止部（７）と第２係止部（８）を係合して止めるものとしてもよい。
【００３６】
また、リング部材（２）およびフック部材（５）は、図４（ａ）（ｂ）に示すような形状に限定されるものではなく、アルファベットのＣ、Ｇ、Ｓなどの形状としてもよいし、あるいはアルファベットに拘わらずその他の形状としてもよい。
【００３７】
また、リング部材（２）およびフック部材（５）においてプレスにより刻印されたビードを設けることによりフック部材（５）の金属強度を図るものとしてもよい。
【００３８】
また、ベルト本体部（１）の他端部のみを弾性部材（４）としたが、その他の部分を弾性部材としてもよいし、あるいはベルト本体部（１）の全体を弾性部材としてもよい。
【００３９】
また、ベルト本体部（１）の他端部において名札入れが取り付けられた連結片を設けるものとしてもよい。
【００４０】
また、リング部材（２）は、従来から知られている方形リングなどであってもよい。特に一対の方形リングをベルト本体部（１）の一端部に設ければ、弾性部材（４）の張力による締め付けとともに、一対の方形リングによる締め付けを行うことができ、荷物（Ｎ）をより一層確実に締め付けることができる。
【００４１】
また、フック部材（５）およびリング部材（２）は上述のように金属製のものがよいが、合成樹脂製などその他の材質のものであってもよい。
【産業上の利用可能性】
【００４２】
本発明は、スーツケースやカバンなどの各種荷物に巻いて締め付ける荷物用締付ベルトに適用可能である。
【図面の簡単な説明】
【００４３】
【図１】本発明の一実施形態に係る荷物用締付ベルトの斜視図である。
【図２】本ベルトの要部を拡大した斜視図である。
【図３】本ベルトの要部を拡大した側面図である。
【図４】（ａ）リング部材、（ｂ）フック部材の平面図である。
【図５】本ベルトを荷物に取り付ける状態を示す図である。
【図６】他の実施形態に係るベルトを示す図である。
【図７】他の実施形態に係るベルトを示す図である。
【図８】他の実施形態に係るベルトを示す図である。
【符号の説明】
【００４４】
１・・・ベルト本体部
２・・・リング部材
３・・・調節バックル
４・・・弾性部材
５・・・フック部材（第１係止部）
６・・・環状部材（第２係止部）
【図１】
2007044066.tif 000003
【図２】
2007044066.tif 000004
【図３】
2007044066.tif 000005
【図４】
2007044066.tif 000006
【図５】
2007044066.tif 000007
【図６】
2007044066.tif 000008
【図７】
2007044066.tif 000009
【図８】
2007044066.tif 000010